(57)【要約】 【構成】  左右の分岐ローラ２２，２３の昇降により、分岐／直進を切り替える天井走行車において、分岐部位外ではガイドレール５６のガイド面と分岐ローラ２２，２３の間にギャップを設け、分岐部ではガイドレールの幅を拡げてギャップを解消する。【効果】  分岐部位外の位置では分岐ローラを昇降させてもガイドレールと干渉せず、分岐部では分岐ローラがギャップ無しにガイド面と接するので、ガタつかずに分岐部を走行できる。【選択図】      図５
2005297683.tif 000002
【特許請求の範囲】
【請求項１】
走行輪と左右一対のガイドローラと、該ガイドローラの左右両外側に設けた昇降自在の分岐ローラとを備えた有軌道台車が、前記ガイドローラと分岐ローラとの間にガイドレールを位置させて走行するようにしたシステムにおいて、
分岐ローラとガイドレールとの間に隙間があるエリアをガイドレールの直進区間に設けて分岐ローラを昇降させると共に、ガイドレールの分岐部では、左右いずれかの側の分岐ローラとガイドローラとを共にガイドレールに当てつけるようにしたことを特徴とする有軌道台車システム。
【請求項２】
分岐部でガイドレールを直進区間よりも幅広にすることにより、前記の隙間を設けたことを特徴とする、請求項１の有軌道台車システム。
【請求項３】
前記左右一対のガイドローラの少なくとも一方を偏心ローラとしたことを特徴とする、請求項１または２の有軌道台車システム。
【発明の詳細な説明】
【技術分野】
【０００１】
この発明は有軌道台車の分岐制御に関し、特に分岐／直進共に分岐部を高速で走行でき、かつ分岐部での有軌道台車のガタツキが少ないシステムに関する。
【背景技術】
【０００２】
有軌道台車は走行レールに沿って走行し、クリーンルーム内や一般の工場、病院、図書館、野外などで物品を搬送する。走行レールのレイアウトを複雑にすると分岐が必要になり、特許文献１は有軌道台車の分岐制御について開示している。特許文献１では走行レール内にガイドレールを設け、有軌道台車には左右の分岐ローラを設ける。そして分岐ローラをガイドレールにガイドされる位置とフリーの位置の間で昇降させて、直進か分岐かを制御する。
【０００３】
ところで分岐ローラを昇降させるには、ガイドレールとの間に隙間（ギャップ）が必要である。隙間は大きくできないのでガイドレールと分岐ローラとが昇降時に干渉することがあり、分岐部の手前で有軌道台車を減速し、分岐ローラの昇降を容易にする。発明者はさらに、この隙間が分岐部での有軌道台車のガタツキの原因となることに着目した。
【特許文献１】特開２００３−２１２１１２号公報
【発明の開示】
【発明が解決しようとする課題】
【０００４】
この発明の課題は、分岐ローラの昇降がガイドレールと干渉しないようにして、分岐部の手前での減速の必要を無くし、かつ分岐／直進のいずれの場合も、ガタツキ無しで高速で分岐部を走行できるようにすることにある。
請求項２の発明での追加の課題は、分岐部では分岐ローラがガイドレールの外面に接して隙間が生ぜず、直進区間では分岐ローラがガイドレールに接せず昇降と干渉しないようにするための、具体的な構成を提供することにある。
請求項３の発明での追加の課題は、ガイドレールの内側にガイドローラが確実に接するように、ガイドローラ位置を容易に調整できるようにすることにある。
【課題を解決するための手段】
【０００５】
この発明は、走行輪と左右一対のガイドローラと、該ガイドローラの左右両外側に設けた昇降自在の分岐ローラとを備えた有軌道台車が、前記ガイドローラと分岐ローラとの間にガイドレールを位置させて走行するようにしたシステムにおいて、分岐ローラとガイドレールとの間に隙間があるエリアをガイドレールの直進区間に設けて分岐ローラを昇降させると共に、ガイドレールの分岐部では、左右いずれかの側の分岐ローラとガイドローラとを共にガイドレールに当てつけるようにしたことを特徴とする。
【０００６】
好ましくは、分岐部でガイドレールを直進区間よりも幅広にすることにより、前記の隙間を設ける。
【０００７】
また好ましくは、前記左右一対のガイドローラの少なくとも一方を偏心ローラとする。
【発明の効果】
【０００８】
この発明の有軌道台車システムでは、分岐ローラとガイドレールとの間に隙間がある直進区間のエリアで分岐ローラを昇降させて、分岐か直進かを選択する。分岐ローラの昇降はガイドレールと干渉しないので、分岐部の手前で有軌道台車が減速する必要がなく、分岐ローラの昇降も滑らかに行うことができる。また分岐部では、左右いずれかの側の分岐ローラとガイドローラとが、ガイドレールの外面と内面とにほぼ隙間無しに当てつけられことにより有軌道台車を支持するので、走行輪が踏面から離れた位置でも有軌道台車にガタツキや衝撃が加わらない。従って、分岐部を直進する場合も分岐する場合も高速で走行できる。
【０００９】
好ましくは、ガイドレールの幅を分岐部で幅広にして、ガイドローラと分岐ローラとがガイドレールを隙間無しに挟み込むようにし、直進区間でガイドレールの幅を狭めて、分岐ローラとガイドレールとの間に隙間が生じるようにする。このようにガイドレールの幅を変えることにより、分岐ローラをガイドレールに接させたり、隙間を持たせたりできる。なおガイドレールの幅を変える代わりに、例えば分岐ローラを左右方向にスライドさせる手段を設けても良いが、機構が複雑になる。
【００１０】
分岐ローラとガイドレールとの相対位置を正確に規制するには、左右のガイドローラ位置も重要になる。そこで少なくとも一方のガイドローラを偏心ローラとして、即ち左右方向位置をローラの位置を調整自在にすると、左右のガイドローラが共にガイドレールの内面に接するように調整できる。
【発明を実施するための最良の形態】
【００１１】
図１〜図１２に、天井走行車システムを例に、本発明を実施するための最適実施例を示す。
【実施例】
【００１２】
天井走行車の構造
図において、２は天井走行車で、４，５は前後一対のボギー台車で、６は天井走行車本体である。天井走行車本体６は前後の軸８，８によりボギー台車４，５の下部に支持され、前後の軸８，８を接続するようにフレーム１０が設けられ、フレーム１０上の走行モータ１２を介して駆動輪１４を駆動する。駆動輪１４は、走行レールの上部下面に図示しない付勢手段で押し付けられて、天井走行車２を走行させる。
【００１３】
前後のボギー台車４，５には自由輪の走行輪１６，１８を設けて、走行レールの下部の上面を踏面として走行する。ボギー台車４，５の上部に例えば前後左右各１輪で合計４輪のガイドローラ２０，２１を設けて、ガイドレールの内側のガイド面によりガイドする。なおガイドローラ２１は偏心ローラでその構造を図３に示し、ガイドローラ２０は通常のフリーローラである。またボギー台車４，５の走行方向中央部付近で、ガイドローラ２０，２１の左右方向外側に一対の分岐ローラ２２，２３を設ける。そして分岐ローラ２２，２３は位相を逆にして昇降する。
【００１４】
２４，２５は左右のカムプレートで、共通の昇降モータ２６とブレーキ２８とにより駆動され、３０は揺動アームで、３２はその揺動中心となるピンである。また揺動アーム３０の一端に昇降体３４を取り付け、昇降体３４は分岐ローラ２２，２３と共に昇降する。３６は昇降体３４の昇降運動をガイドするための昇降ガイドで、例えばリニヤガイドを用い、３５は昇降体３４に設けた溝で、揺動アーム３０の先端に設けたピンなどを昇降体３４に対して摺動させる。
【００１５】
カムプレート２４，２５には、その回動中心３７の周囲に螺旋状のカム溝３８を設け、揺動アーム３０の端部に設けたカムフォロワ４０をカム溝３８でガイドする。なおカムプレート２４，２５に設けるカムは、溝状のカムに限らず、カムフォロワを案内する螺旋状のカムであればよい。またカムプレート２４，２５や揺動アーム３０は例えば鉛直面内で回動して、分岐ローラ２２，２３を昇降させる。カム溝３８には回動中心３７からの曲率半径が一定の同心円状のエリアが例えば３箇所あり、最も曲率半径が小さいエリアが低位置エリア４２で、ここからカムプレート２４，２５を例えば約１８０゜回動させた位置に中位置エリア４３があり、さらに例えば１８０゜回動させた位置に高位置エリア４４がある。
【００１６】
低位置エリア４２と高位置エリア４４とでは、それぞれカムプレート２４，２５の回転角（位相）が４５゜の範囲で、カム溝３８は同心円状であり、中位置エリア４３では例えば位相が９０゜の範囲でカム溝３８が同心円状である。そしてカムプレート２４，２５の回動範囲は３６０゜強である。カムプレート２４，２５には他の部分よりも半径方向に突き出した被検出部４５，４６を設け、位相センサ４８により、被検出部４５，４６を検出する。位相センサ４８は例えば被検出部４５，４６の段差（エッジ）を検出し、エッジの位置はエリア４２，４３，４４が同心円状となっている部分のほぼ中央部である。即ちカムフォロワ４０がエリア４２，４３，４４のほぼ中心に来たことを、被検出部４５，４６のエッジを用いて位相センサ４８により検出する。
【００１７】
左右一対のカムプレート２４，２５は昇降モータ２６とブレーキ２８とにより回動し、カム溝３８の配置をカムプレート２４，２５で変えて、カムプレート２４側でカムフォロワ４０が高位置エリア４４にある時、カムプレート２５ではカムフォロワは低位置エリア４２にあるようにする。また左右のカムプレート２４，２５で、中位置エリア４３は同じ位相で表れるようにする。このようにカムプレート２４，２５ではカムの位相を１８０゜異ならせる。そして制御部４９で位相センサ４８の信号により、昇降モータ２６とブレーキ２８とを制御し、分岐ローラ２２，２３の高さを制御する。ただし分岐ローラ２２，２３の昇降機構自体は任意である。
【００１８】
図３にガイドローラ２１の例を示すと、２１ｒはフリーローラからなる偏心ローラで、その軸２１ｂと取付部２１ｃの軸とが偏心しており、取付部２１ｃのネジを回すことにより、左右一対のガイドローラ間の距離を現場で調整できる。なお偏心ローラ側の分岐ローラ、例えばここでは分岐ローラ２２、も同様に偏心ローラとして、左右方向位置を調整自在にすることが好ましい。
【００１９】
走行レールと天井走行車の分岐動作
図４〜図１２を参照し、走行レール５０の構成と、分岐部での天井走行車の動作とを説明する。各部材の符号は、図４〜図１２にない符号でも、図１〜図３の符号をそのまま使うことがある。５１は走行レール５０の分岐部、５２は直進区間で、分岐や合流が無い区間の意味である。ボックス状の走行レール５０の下部上面に左右の踏面５３，５３を設けて、走行輪１６，１８を支持し、その間に開口５４を設けて、ボギー連結用の軸８を通す。また走行レール５０の上部底面の左右に、鉛直方向下向きに突き出したガイドレール５６を設ける。ガイドレール５６の幅を直進区間５２と分岐部５１とで異ならせて、分岐部５１では直進区間５２よりも例えば１mm程度左右方向の外側（分岐ローラ２２，２３の接する側）に幅広の幅広部５８とする。
【００２０】
この結果、直進区間５２では分岐ローラ２２，２３とガイドレール５６の間に例えば１mm程度の隙間が生じ、分岐部５１の幅広部５８ではガイドレールの外面と分岐ローラとの間に左右方向の隙間は無い。また左右のガイドレール５６，５６間の間隔は直進区間５２でも分岐部５１でも一定で、設置時などに偏心したガイドローラ２１を用いて、ガイドローラ２０，２１間の間隔を調整するので、ガイドレール５６，５６の内面にガイドローラ２０，２１が常時密着する。  
【００２１】
走行レール５０のレイアウトでは、図４の下から上への走行が直進で、下から右側への走行が分岐である。開口５４の左側寄りにはガイドレール５６やその幅広部５８が隙間無く配置され、右寄りにもカット部６４を除いてガイドレール５６やその幅広部５８が配置されている。分岐部には開口５４がＹ字状となるＹ字部６２がある。
【００２２】
図５に直進区間５２での、ガイドレール５６に対するガイドローラ２０，２１や分岐ローラ２２，２３の位置を示す。ガイドレール５６，５６の内面がガイド面６０で、外面がガイド面６１で、ガイド面６０，６０間の間隔配置によらず一定で、ガイド面６１の位置は幅広部ではガイドレール５６の外側向きに１mm程度シフトする。直進区間では分岐ローラ２２，２３は例えば中位置の高さにあり、ガイド面６１との間に隙間ｇがあるので、ガイドレール５６と干渉せずに昇降できる。そして直進区間では、左右のガイドローラ２０，２１が左右のガイド面６０，６０に隙間無しに接することにより、天井走行車がガイドされる。
【００２３】
分岐部を直進する場合、図６に示すように、分岐ローラ２３が高位置で、分岐ローラ２２は低位置にあり、図４のＹ字部６２で幅広部５８やガイドレール５６の底面の下を通過する。Ｙ字部６２ではローラ２１，２２は共にガイドレールに接していないが、ガイドローラ２０と分岐ローラ２３が幅広部５８のガイド面６０，６１に共に隙間無しに接することにより、ボギー台車の姿勢が保持される。
【００２４】
分岐部で分岐する場合、図７に示すように、分岐ローラ２２が高位置で、分岐ローラ２３が低位置にある。図４のＹ字部６２では、分岐ローラ２３が幅広部５８の底面下部を通過する。Ｙ字部６２でガイドローラ２０も分岐ローラ２３もガイドレールに接していないが、ガイドローラ２１と分岐ローラ２２が幅広部５８のガイド面６０，６１に共に隙間無しに接することにより、ボギー台車の姿勢が保持される。
【００２５】
Ｙ字部６２を通過する際の走行輪１６等の姿を、図８の実線で示す。Ｙ字部６２で走行輪１６等が踏面５３から外れると、図の鎖線のように僅かに沈み込んで、ボギー台車がガタつくが、実施例ではローラ２０，２３もしくはローラ２１，２２が幅広部５８を隙間無しに挟み込んで、ガタツキを防止できる。
【００２６】
図９，図１０に、直進時の動作を示す。図では分岐ローラ２３が高位置、分岐ローラ２２が低位置にある。右側の分岐ローラ２２はガイドレール５６に接触せず、左側の分岐ローラ２３とガイドローラ２０がガイドレール５６の幅広部５８を隙間無しに挟み込んで直進を選択する。直進のための分岐ローラ２２，２３の昇降は手前の直進区間５２で行い、この時、分岐ローラ２２，２３の昇降はガイドレール５６と干渉せず、ガタつかずに高速で分岐部を直進できる。
【００２７】
図１１，図１２に分岐時の状態を示す。ここで右側の分岐ローラ２２は高位置で、ガイドローラ２１と共に幅広部５８を隙間無しに挟み込むようにしてガイドされ、左側の分岐ローラ２３は低位置で、ガイドレールの下側を通過する。また分岐のための分岐ローラ２２，２３の昇降は手前の直進区間５２で行い、ガタつかずに高速で分岐部を分岐できる。
【００２８】
実施例の効果と補足
実施例では直進区間５２の全体で、ガイドレールの幅を幅広部５８よりも狭くしたが、分岐部の手前の所定のエリアでのみ幅を狭くしても良い。また分岐部に変えて合流部を設ける場合、図４の上から下へと天井走行車を走行させればよい。その場合の分岐ローラ２２，２３等の動作は、図４の上から下へと直進する場合は図９と同様にし，図４の右上から下へと走行して合流する場合は図１１と同様にする。実施例では、分岐ローラ２２，２３の高さ位置を３段階としたが、分岐／直進の２段階として、例えば直進区間では原則として直進とし、分岐する場合は分岐部の手前で切り替えるようにしても良い。
【００２９】
また実施例では、ガイドローラ２０，２１をボギー台車当たり前後に各一対設け、分岐ローラを台車前後方向でそれらの中間に配置したが、この逆に分岐ローラを前後に各一対設けて、それらの前後方向の中間にガイドローラを設けても良い。この場合、ボギー台車当たり、分岐ローラが４個，ガイドローラが２個となる。
【００３０】
実施例では天井走行車を示したが、走行レールを地上に敷設した有軌道台車でも良い。また天井走行車の場合でも、走行レールの上側に開口を設けて、この開口上に荷台などを配置したものでも良い。この場合、ガイドレールは走行レールの上部底面で開口の左右などに設ける。
【００３１】
実施例では以下の効果が得られる。
(1)  ガタつかずに分岐でも直進でも高速で分岐部を走行できる。
(2)  分岐か直進かの選択で、分岐ローラの昇降のために減速する必要がない。
(3)  ガイドレールの幅を分岐部で左右方向外側に拡げることにより、分岐ローラが直進区間ではガイドレールに接せず、分岐部でのみ隙間無しに接するようにできる。
(4)  左右のガイドローラが共にガイドレールの内面に隙間無しに接するように、ガイドローラの間隔を現場で調整できる。
【図面の簡単な説明】
【００３２】
【図１】実施例で用いた天井走行車の前後のボギー台車の要部を示す平面図
【図２】実施例で用いた天井走行車の分岐ローラの昇降機構を示す要部側面図
【図３】実施例で用いた偏心ローラの側面図
【図４】実施例の天井走行車システムでの、分岐部の走行レールを示す水平断面図
【図５】直線区間でのガイドローラと分岐ローラのガイドレールに対する位置を示す図
【図６】分岐部を直進する際の、ガイドローラと分岐ローラのガイドレールに対する位置を示す図
【図７】分岐部で分岐する際の、ガイドローラと分岐ローラのガイドレールに対する位置を示す図
【図８】踏面のカット部を走行輪が通過する際の姿を模式的に示す図
【図９】図４の分岐部を天井走行車が直進する際の姿を模式的に示す図
【図１０】図９のX-X方向に沿って、直進時の走行レール内のガイドローラと分岐ローラ並びに走行輪の配置を模式的に示す図
【図１１】図４の分岐部を天井走行車が分岐する際の姿を模式的に示す図
【図１２】図１１のXii-Xii方向に沿って、分岐時の走行レール内のガイドローラと分岐ローラ並びに走行輪の配置を模式的に示す図
【符号の説明】
【００３３】
２            天井走行車
４，５        ボギー台車
６            天井走行車本体
８            軸
１０          フレーム
１２          走行モータ
１４          駆動輪
１６，１８    走行輪
２０，２１    ガイドローラ
２２，２３    分岐ローラ
２４，２５    カムプレート
２６          昇降モータ
２８          ブレーキ
３０          揺動アーム
３２          ピン
３４          昇降体
３５          溝
３６          昇降ガイド
３７          回動中心
３８          カム溝
４０          カムフォロワ
４２          低位置エリア
４３          中位置エリア
４４          高位置エリア
４５，４６    被検出部
４８          位相センサ
４９          制御部
５０          走行レール
５１          分岐部
５２          直進区間
５３          踏面
５４          開口
５６          ガイドレール
５８          幅広部
６０，６１    ガイド面
６２          Ｙ字部
６４          カット部
ｇ            隙間
【図１】
2005297683.tif 000003
【図２】
2005297683.tif 000004
【図３】
2005297683.tif 000005
【図４】
2005297683.tif 000006
【図５】
2005297683.tif 000007
【図６】
2005297683.tif 000008
【図７】
2005297683.tif 000009
【図８】
2005297683.tif 000010
【図９】
2005297683.tif 000011
【図１０】
2005297683.tif 000012
【図１１】
2005297683.tif 000013
【図１２】
2005297683.tif 000014